(57)【要約】【課題】本発明は、病床に寝たきりの病人を含め、歩行困難な要介護者をベッド等から浴室に搬送し、浴室において着衣の脱着、浴槽への入出等の入浴介助を、介助者一人で実施できる入浴介助用走行リフトの提供を課題とする。【解決方法】要介護者を吊り下げて移動させる回動アームを上端部に有する伸縮支柱と、要介護者を着座させる折りたたみ椅子とを可動台車上に配設し、伸縮支柱が可動台車後部の床面に立設・固着されたガイドポストと、該ガイドポストの外壁面にその内壁面が摺動しながら昇降する昇降ポールとで構成され、昇降ポールの昇降が足踏み式油圧ジャッキによって行われ、また折りたたみ椅子が、要介護者をベッドから吊り上げて入浴介助用走行リフトへ移動する際に障害とならぬよう、可動台車へ起立・倒伏可能に装着され、かつ背もたれの着座部への着脱を可能にしてなる入浴介助用走行リフトによる。【選択図】図１
2018089357.tif 000002
【特許請求の範囲】
【請求項１】
歩行困難な要介護者の入浴を介助するための入浴介助用走行リフトであって、
要介護者を吊り下げて移動させる回動アーム（２）を上端部に有する伸縮支柱（１）と、要介護者を着座させる折りたたみ椅子（１０）とが可動台車（６）上に配設されてなることを特徴とする入浴介助用走行リフト。
【請求項２】
前記回動アーム（２）を上端部に有する伸縮支柱（１）が、可動台車（６）後部の幅広に構成された機構部（６ａ）の床面に立設・固着されたガイドポスト（１ａ）と、該ガイドポスト（１ａ）の外壁面にその内壁面が摺動しながら昇降し上端部に前記回動アーム（２）が装着されてなる昇降ポール（１ｂ）とで構成され、前記昇降ポール（１ｂ）の昇降が前記機構部（６ａ）に配設された足踏み式油圧ジャッキ（４）によって行われるよう構成されてなることを特徴とする請求項１に記載の入浴介助用走行リフト。
【請求項３】
前記回動アーム（２）が、昇降ポール（１ｂ）の先端部に左右方向にそれぞれ９０度回動自在に装着された後方アーム（２ａ）と、該後方アームの先端に左右方向に回動自在に装着され先端に吊り上げフック（３）を回動自在に備えた前方アーム（２ｂ）とで構成されてなることを特徴とする請求項１又は２に記載の入浴介助用走行リフト。
【請求項４】
前記折りたたみ椅子（１０）が、可動台車（６）に起立・倒伏可能に装着され、要介護者を吊り上げてベッドと入浴介助用走行リフト間を移動させる際の安全確保のため、可動台車（６）をベッドの下部に差し込められるように起立・倒伏可能に装着されてなることを特徴とする請求項１〜３のいずれか１項に記載の入浴介助用走行リフト。
【請求項５】
前記折りたたみ椅子（１０）が、要介護者着座時における起立状態を安全、かつ簡便に保持するための固定ピン（１５）、又はインデックスプランジャ（１８）を備えてなることを特徴とする請求項１〜４のいずれか１項に記載の入浴介助用リフト。
【請求項６】
前記機構部（６ａ）が設けられた可動台車（６）の後部左右両側方下面に、前記伸縮支柱（１）で要介護者を吊り上げる際の安全確保のためのアウトリガー（５）を備えてなることを特徴とする請求項１〜５のいずれか１項に記載の入浴介助用走行リフト。
【請求項７】
前記可動台車（６）が、前記機構部（６ａ）の設けられた幅広な部分の左右下部に後輪（７ｂ）を、折りたたみ椅子（１０）の設けられた前端部に前輪（７ａ）１個を備え、かつ介助者が可動台車（６）を移動させるときの押し手（８）を後端部に備え、介護者の操作（押し方）によって前輪（７ａ）又は後輪（７ｂ）のいずれか一方の走行の向きが左右に変わるよう回動可能に装着されてなることを特徴とする請求項１〜６のいずれか１項に記載の入浴介助用走行リフト。
【請求項８】
前記可動台車（６）が、前記機構部（６ａ）の設けられた幅広な部分の左右下部に後輪（７ｂ）を、前記折りたたみ椅子（１０）の設けられた前端部には前輪（７ａ）１輪を備え、前記後輪（７ａ）が前記機構部（６ａ）の後部に設けられたハンドル（９）を介助者が操作することによってその走行の向きが左右に変えられるよう構成されてなることを特徴とする請求項１〜６のいずれか１項に記載の入浴介助用走行リフト。
【請求項９】
要介護者を吊り上げて浴槽（３０）に出し入れする際、前記回動アーム（２）の回動により入浴介助用リフトの重心位置の変動に伴う転倒の虞を、浴槽（３０）の外側面と上縁、又は浴槽外側面と浴槽下部の浴室床面に当接させて防止する転倒防止アーム（２１）を備え、浴室（３０）において該転倒防止アーム（２１）を、前記可動台車（６）の機構部（６ａ）の左右端部に設けた転倒防止アーム取付部材（２２）装着するよう構成されてなることを特徴とする請求項１〜８のいずれか１項に記載の入浴介助用リフト。
【発明の詳細な説明】
【技術分野】
【０００１】
本発明は、要介護者の入浴のための移動と浴槽への安全な出入りを介助する入浴介助用走行リフトに関する。
【背景技術】
【０００２】
従来、要介護者の入浴を介助する装置に係る発明で、特に装置全体が移動可能に構成されたものとして、例えば、
特許文献１（特開平６−３１９７７７号公報）には、
「所定の奥行及び巾を有し、移動と回転自在でかつ腰かけを装置した台車と、台車に装置された縦柱であって該縦柱の上端に伸縮横柱を装置し該横柱には身障者を吊るしうるハンガーを装置し、該ハンガーの上下運動と該横柱にそう前後運動を可能とする機構を装置し、前記台車の後部には体重平衡錘設置板を装着したことを特徴とする身障者入浴装置」が公開され、
また特許文献２（特開２００１−３３３９５６号公報）には、
「『請求項１』被介護者を乗せる為の椅子付き吊り装置（３）と、椅子付き吊り装置（３）を取り付けて水平方向に旋回及び上下に揺動可能のアーム装置（２）と、該アーム装置（２）を支持する支柱装置（１）と、支柱装置（１）を固定する支柱支持台装置（５）を設け、かつ浴室の壁面等への取付け工事を不要とすることを特徴とする介護用入浴装置。」
が開示されている。
上記２件の特許文献発明は、いずれも一般家庭の浴室での入浴介護を想定してなされたもので、特許文献１の発明にあっては、身障者を浴槽の中心に下ろすためには縦柱の上端に装置した横柱を浴槽上に配置させねばならず装置の浴室内での方向転換が必要で、また廊下の曲がり角の通過のためにも底面積が制限されることになる。そのためこの装置にあっては、台車の荷台の後尾に固着した平衡錘設置板上に体重平衡錘を複数個設置するとか、前記平衡錘設置板上に介助者が乗って操作することとが必要となる。
また、特許文献２の発明においては、椅子に着座したまま入浴することとなり、全身を湯に浸かることができないという問題がある。
一方、特許文献３（特開２００１−１７８７８０号公報）には、
「病室のベッドに寝たきりの病人などが、その病室のベッドから浴室などへ移動する場合などに利用する介護用車椅子として
「『請求項１』椅子本体を構成するフレームに水平回動可能に取り付けられた支柱と、支柱の上端部に一端部が支持された支持アームと、支柱および支持アームに沿うようにプーリを介してガイドされ、支持アームの他端部から垂下された部位に支承部材吊持用の吊具が取り付けられる索条と、支柱を任意の水平回動位置へ駆動するとともに、支持アームの他端から垂下された索条を昇降させる動力源とを備えたことを特徴とする介護用車椅子。」
が開示されている。
しかし特許文献３では、この介護用車椅子を「病人を浴槽やトイレなどに案内したり、散歩したり、車椅子からベッド上に案内でき、この作業を迅速かつ容易に実施できる介護装置」としており、入浴介助時の使用については全く触れられていない。
【先行技術文献】
【特許文献】
【０００３】
【特許文献１】特開平６−３１９７７７号公報
【特許文献２】特開２００１−３３３９５６号公報
【特許文献３】特開２００１−１７８７８０号公報
【発明の概要】
【発明が解決しようとする課題】
【０００４】
本発明は、上記背景技術に鑑みてなされたもので、病床に寝たきりの病人を含め、歩行困難な要介護者をベッド等から浴室に搬送し、浴室において着衣の脱着、浴槽への入出等の入浴介助を、介助者一人で実施できる入浴介助用走行リフトの提供を課題とする。
【課題を解決するための手段】
【０００５】
本発明者は上記課題を下記の手段によって解決した。
（１）歩行困難な要介護者の入浴を介助するための入浴介助用走行リフトであって、
要介護者を吊り下げて移動させる回動アームを上端部に有する伸縮支柱と、要介護者を着座させる折りたたみ椅子とが可動台車上に配設されてなることを特徴とする入浴介助用走行リフト。
（２）前記回動アームを上端部に有する伸縮支柱が、可動台車６後部の幅広に構成された機構部の床面に立設・固着されたガイドポストと、該ガイドポストの外壁面にその内壁面が摺動しながら昇降し上端部に前記回動アームが装着されてなる昇降ポールとで構成され、前記昇降ポールの昇降が前記機構部に配設された足踏み式油圧ジャッキによって行われるよう構成されてなることを特徴とする（１）に記載の入浴介助用走行リフト。
（３）前記回動アームが、昇降ポールの先端部に左右方向にそれぞれ９０度回動自在に装着された後方アームと、該後方アームの先端に左右方向に回動自在に装着され先端に吊り上げフックを回動自在に備えた前方アームとで構成されてなることを特徴とする（１）又は（２）に記載の入浴介助用走行リフト。
【０００６】
（４）前記折りたたみ椅子が、可動台車に起立・倒伏可能に装着され、要介護者を吊り上げてベッドと入浴介助用走行リフト間を移動させる際、前記可動台車をベッドの下に差し込んで要介護者の安全が確保されるよう構成されてなることを特徴とする（１）〜（３）のいずれか１項に記載の入浴介助用走行リフト。
（５）前記折りたたみ椅子が、要介護者の着座時における起立状態を安全、かつ簡便に保持するための固定ピン、又はインデックスプランジャを備えてなることを特徴とする（１）〜（４）のいずれか１項に記載の入浴介助用リフト。
（６）前記機構部が設けられた可動台車の後部左右両側方下面に、前記伸縮支柱で要介護者を吊り上げる際の安全確保のためのアウトリガーを備えてなることを特徴とする（１）〜（５）のいずれか１項に記載の入浴介助用走行リフト。
【０００７】
（７）前記可動台車が、前記機構部の設けられた幅広な部分の左右下部に後輪を、折りたたみ椅子の設けられた前端部に前輪１個を備え、かつ介助者が可動台車を移動させるときの押し手を後端部に備え、介護者の操作（押し方）によって前輪又は後輪のいずれか一方の走行の向きが変わるよう回動可能に装着されてなることを特徴とする（１）〜（６）のいずれか１項に記載の入浴介助用走行リフト。
（８）前記可動台車が、前記機構部の設けられた幅広な部分の左右下部に後輪を、前記折りたたみ椅子の設けられた前端部には前輪１個を備え、前記後輪が前記機構部の後部に設けられたハンドルを介助者が操作することによってその走行の向きが変えられるよう構成されてなることを特徴とする（１）〜（６）のいずれか１項に記載の入浴介助用走行リフト。
（９）要介護者を吊り上げて浴槽に出し入れする際、前記回動アームの回動により入浴介助用リフトの重心位置の変動に伴う転倒の虞を、浴槽の外側面と上縁、又は浴槽外側面と浴槽下部の浴室床面に当接させて防止する転倒防止アームを備え、浴室において該転倒防止アームを、前記可動台車の機構部の左右端部に設けた転倒防止アーム取付部材装着するよう構成されてなることを特徴とする（１）〜（８）のいずれか１項に記載の入浴介助用リフト。
【発明の効果】
【０００８】
本発明の入浴介助用走行リフトによって下記の効果が発揮される。
〈１〉本発明の入浴介助用走行リフトが、歩行困難な要介護者を吊り下げて移動させる回動アームを上端部に有する伸縮支柱と、要介護者を搬送時に着座させる折りたたみ椅子とが可動台車上に配設されてなるものであり、
前記回動アームを上端部に有する伸縮支柱が、可動台車後部の幅広に構成された機構部の床面に立設・固着されたガイドポストと、該ガイドポストの外壁面にその内壁面が摺動しながら昇降し上端部に前記回動アームが装着されてなる昇降ポールとで構成され、前記昇降ポールの昇降が前記機構部に配設された足踏み式油圧ジャッキによって行われるよう構成されているので、
前記伸縮支柱によって要介護者を吊り上げて入浴介助用走行リフトに乗降させ、また浴槽に出入りさせる際の昇降操作が油圧ジャッキのペダルを踏むことで行え、万一の場合には前記ペダルから足を離せば伸縮支柱はその位置で停止するため要介護者の安全が一人の介助者によって確保でき、かつ介助者の労力・心労の軽減が図れる。
また、特許文献２、及び特許文献３に開示の電動モーターを使用した昇降機構のようにバッテリーの搭載を必要とせず入浴介助用走行リフトの軽量化が図られ、介助者の労力の軽減につながり、またバッテリーの充電や買い替え費用も不要で、利用者の負担軽減にもつながる。
〈２〉前記回動アームが、昇降ポールの先端部に左右方向にそれぞれ９０度回動自在に装着された後方アームと、該後方アームの先端に左右方向に回動自在に装着され先端に吊り上げフックを回動自在に備えた前方アームとで構成されているので、
１本の回動アームでは要介護者を昇降ポールを中心とした円弧状にしか移動できないが、後方アームと前方アームとを直線状に配置した時の長さを半径とする半円形内の随意な位置に移動可能になることから、異なる大きさの浴槽に対しても、入浴介助用リフトを浴槽の角縁へ密着させての安全な入浴介助が実施できる。また、可動台車の長さも短縮でき、小回りのきく運用性の優れた入浴介助用走行リフトの提供ができる。
【０００９】
〈３〉前記折りたたみ椅子が、可動台車に起立・倒伏可能に装着され、要介護者を吊り上げてベッドと入浴介助用走行リフト間を移動させる際、前記可動台車をベッドの下に差し込んで安全が確保されるよう構成されているので、
要介護者をベッドから安全に吊り上げ、入浴介助用走行リフトの折りたたみ椅子上に移動し着座させ、その後背もたれを装着して浴室まで安全に往復でき、要介護者は伸縮支柱に吊り下げられた状態での搬送による身体に加わるスリングシートの圧力と揺れから解放される。また、入浴後の入浴介助用走行リフトからベッドへの移動も安全に行える。
〈４〉前記機構部が設けられた可動台車の後部左右両側方下面に、前記伸縮支柱で要介護者を吊り上げる際の安全確保のためのアウトリガーを備えているので、
要介護者の入浴脱衣室での着衣の脱着時、及び入浴時の安全が確保される。
【００１０】
〈５〉前記可動台車が、前記機構部の設けられた幅広な部分の左右下部に後輪を、折りたたみ椅子の設けられた前端部に前輪１個を備え、介助者が可動台車を移動させるときの押し手を後端部に備え、前輪又は後輪のいずれか一方が介助者の操作（押し方）によってその走行の向きが左右に変わるよう回動可能に装着されているので、
ベッドから浴室までの移動が容易となり、特に後輪の走行の向きが変わるものにあっては小回りがきき、狭いベッド脇での使用や、狭い通路の曲がり角での走行にも対応できる。
〈６〉前記可動台車が、前記機構部の設けられた幅広な部分の左右下部に後輪を、前記折りたたみ椅子の設けられた前端部には前輪１個を備え、前記後輪は、前記機構部の後部に設けられたハンドルの操作によってその走行の向き左右にが変えられるよう構成されているので、
介助者がハンドルを左右に移動させることによって走行方向が左右に変わり、前記押し手による移動操作と同じ効果が、介助者の負担を少なくして実現できる。
〈７〉要介護者を吊り上げて浴槽に出し入れする際、前記回動アームの回動により入浴介助用リフトの重心位置の変動に伴う転倒の虞を、浴槽の外側面と上縁、又は浴槽外側面と浴槽下部の浴室床面に当接させて防止する転倒防止アームを備え、浴室において該転倒防止アームを、前記可動台車の機構部）の左右端部に設けた転倒防止アーム取付部材装着するよう構成されているので、
要介護者は安心して入浴でき、介助者も不安なく入浴介助に専念できる。
【図面の簡単な説明】
【００１１】
【図１】本発明の入浴介助用走行リフトの実施例１の構成図、（ａ）要介護者を吊り下げ着座させた状態における側面図、（ｂ）前面図
【図２】本発明の入浴介助用走行リフトの実施例１の構成を示す平面図、（ａ）折りたたみ椅子起立時の状態図、（ｂ）折りたたみ椅子倒伏時の状態図
【図３】実施例１の折りたたみ椅子の取付機構を示す拡大側面図、（ａ）起立時の構成図、（ｂ）は倒伏時の構成図
【図４】実施例１の折りたたみ椅子の梁材への取付構造を示す説明図
【図５】本発明の入浴介助用走行リフトの実施例２の構成図、（ａ）側面図、（ｂ）前面図
【図６】本発明の入浴介助用走行リフトの実施例２の構成、及び回動アームの移動例を示す平面図、（ａ）搬送時の状態、（ｂ）吊り上げフックを後方へ移動させた状態例、（ｃ）吊り上げフックを右方向への移動させた状態例
【図７】実施例２の実施例１の折りたたみ椅子の取付機構を示す拡大側面図、（ａ）起立時の構成図、（ｂ）は倒伏時の構成図
【図８】実施例２の折りたたみ椅子の梁材への取付構造を示す説明図
【図９】ハンドルによる後輪の方向変更機構の説明図
【図１０】転倒防止アームと転倒防止アーム装着部材の構想図、（ａ）転倒防止アームの平面図、（ｂ）転倒防止アームの側面図、（ｃ）転倒防止アームの正面図、（ｄ）転倒防止アーム装着部材の平面図、（ｅ）転倒防止アーム装着部材の正面図、（ｆ）転倒防止アーム装着部材の側面図
【図１１】転倒防止アームを装着した実施例２の入浴介助用走行リフトの浴室での使用例の説明図、（ａ）アーム部を浴槽上縁に当接しての使用例、（ｂ）アーム部を床面に縁に当接しての使用例
【図１２】本発明実施例１の入浴介助用走行リフトの浴室での使用方法の説明図
【図１３】本発明実施例２の入浴介助用走行リフトの浴室での使用方法の説明図
【発明を実施するための形態】
【００１２】
本発明を実施するための形態を、実施例の図に基づいて説明する。
【実施例１】
【００１３】
本発明の入浴介助用走行リフトの実施例１は、図１及び図２に示すように、歩行困難な要介護者を浴室まで搬送し、浴槽に出入りさせるため、要介護者をベッドから吊り上げて移動させる回動アーム２を上端部に有する伸縮支柱１と、要介護者を着座させる折りたたみ椅子１０とを可動台車６上に配設したものであって、前記伸縮支柱１が、可動台車６の後部の幅広に構成された部分に窪ませて設けられた機構部６ａの床面に立設・固着されたガイドポスト１ａと、該ガイドポスト１ａの外壁面にその内壁面が摺動しながら昇降する前記回動アーム２を上端部に装着した昇降ポール１ｂとからなり、該回動アーム２は前記昇降ポール１ｂの前面に設けられた回動軸２ｃに枢設され、先端には要介護者を吊り上げる際にスリングシートを掛止するための吊り上げフック３が回動可能に装着されている。
そして、前記昇降ポール１ｂの昇降は、前記機構部６ａに配設された足踏み式油圧ジャッキ４の操作によって行われる。
【００１４】
本実施例１の入浴介助用走行リフトの可動台車６は、図２に示すように、前記機構部６ａを設けた後部の幅広に構成された部分と、その前方に延伸突設しその先端に前輪７ａ１個を有する前輪部を設けた平行する２本の梁材６ｂとで構成され、前記梁材６ｂに前記折りたたみ椅子１０が配設され、また、前記機構部６ａを設けた後部の幅広の部分の左右両側下面には後輪７ｂと、前記伸縮支柱１で要介護者を吊り上げる際の安全を確保するためのアウトリガー５とが配設されている。なお、前記アウトリガー５は、搬送時には可動台車６の下に格納される［図２（ａ）参照］。
また、前記可動台車６が、その後端部に介助者が可動台車６を移動させるときの押し手８を備え、かつ前輪７ａ又は後輪７ｂのいずれか一方が平面方向の左右に回動可能に装着され、介護者の押し手操作（押し方）によって走行の向きが容易に変えられるよう構成されている。
【００１５】
前記折りたたみ椅子１０は、図１及び図３に示すように要介護者が着座する着座部１１と、該着座部１１に取着可能にしてなる背もたれ１４と、前記着座部１１と前記２本の梁材６ｂとに両端が回動して起伏可能に取着され起立時には折りたたみ椅子１０の前脚となるアーム１２、１２’と、後脚となるアーム１３、１３’とで構成されている。
そして図３、図４に示すように、前記折りたたみ椅子１０の後脚となるアーム１３、１３’は、梁材６ｂの先端近傍、前輪７ａを設けた前輪部近くの外側面に、また前脚となるアーム１２、１２’は梁材６ｂの内側面に、いずれも下方に向けて突出するように固着された取付具１６の下端部にその一端が回動可能に取り付けられ、他端は着座部１１の下面の対応する位置に設けられた取付具１７にそれぞれ回動可能に取り付けられている。したがって、折りたたみ椅子１０は、図３（ｂ）及び図２（ｂ）に示すように前方に向けて倒され、着座部１１の裏面が梁材６ｂ上に当接する。その際前記背もたれ１４は着座部１１から取り外されて、図２に示すように前記機構部６ａの所定位置に収容、固定される。
なお、折りたたみ椅子１０を起立させた際に着座部１１が安定に保持されるよう、少なくとも後脚となるアーム１３又は１３’のいずれか一方に前記梁材６ｂに固着された取付具１６へ固定させその倒伏を抑止する固定ピン１５が設けられ、着座時の要介護者の安全が図られている。
また、本入浴介助用走行リフトにおいては、図１（ａ）に示すように、要介護者は起立した折たたみ椅子１０に後方を向いて着座して搬送される。したがって要介護者と入浴介助者とは搬送時には対面状態にあり、前記介助者は要介護者の顔色や会話等によって要介護者の状況変化を察知でき、要介護者も安心して搬送されるという効果も得られる。
【実施例２】
【００１６】
本発明の入浴介助用走行リフトの実施例２は、図５に示すように、可動台車６の後部の幅広に構成された機構部６ａの床面に窪ませて設けられた部分（図９参照）に立設・固着されたガイドポスト１ａの外壁面にその内壁面が摺動しながら昇降する昇降ポール１ｂの上端部に設けられた回動アーム２が、前記昇降ポール１ｂの上端部の左右方向にそれぞれ９０度回動自在に装着されてなる後方アーム２ａと、該後方アーム２ａの先端に左右方向に回動自在に装着された前方アーム２ｂとで構成されてなり、前記前方アーム２ｂの先端には吊り上げフック３が回動自在に備えられ、そして前記昇降ポール１ｂの昇降は、実施例１と同様に前記機構部６ａに配設された足踏み式油圧ジャッキ４の操作によって行われる。
【００１７】
本実施例２の入浴介助用走行リフトの可動台車６は、図５（ａ）に示すように、後部の幅広に構成された機構部６ａと、その前方に延伸突設しその先端下部に前輪７ａ１個を備え、上部に前記折りたたみ椅子１０が配設される２本の平行する梁材６ｂとで構成され、また、前記機構部６ａの左右両側下面にはそれぞれ後輪７ｂと、前記伸縮支柱１で要介護者を吊り上げる際の安全を確保するためのアウトリガー５とが配設されている。
そして後輪７ｂが前記機構部６ａの後部に設けられたハンドル９を介助者が操作することによってその走行の向きが左右に変えられるよう構成されている。
【００１８】
本実施例２の折りたたみ椅子１０も、図７及び図８に示すように実施例１と同様に、要介護者が着座する着座部１１と、該着座部１１に取着可能にしてなる背もたれ１４と、前記着座部１１と前記２本の梁材６ｂとに両端が回動して起伏可能にされ起立時には折りたたみ椅子１０の前脚となるアーム１２、１２’と、後脚となるアーム１３、１３’とで構成されてなるとともに、さらに着座した要介護者の臀部を支える支持部材１１’が付加されてより安定して着座できるように構成され、さらに、前記折りたたみ椅子１０の起立状態を安全、かつ簡便に確保するために、少なくとも後脚となるアーム１３又は１３’のいずれか一方に前記梁材６ｂに固着された取付具１６へ固定させその倒伏を抑止するインデックスプランジャ１８を設けている。なお、このインデックスプランジャ１８を前記実施例１の折りたたみ椅子に適用することも好ましく、それを妨げるものではない。
【００１９】
本実施例のハンドル９による後輪７ｂの走行方向変更機構は、図１ａ及び図９に示すように、栓抜き形状の環状部が上方に位置するように傾斜してなるハンドル操作部９ａと、上端が前記ハンドル操作部９ａの下端と一体に接続されて垂設された回動軸９ｂと、前記回動軸９ｂの下端に設けられたギアボックス１９ａと、左右の後輪７ｂの車軸の真上に設けられたギアボックス１９ｂと、前記ギアボックス１９ａとギアボックス１９ｂとを連結する連結軸２０とで構成されており、前記ハンドル操作部９ａを左右に振ることによって前記回動軸９ｂが左右に回動し、その左右の回動がギアボックス１９ａ、１９ｂを介して後輪７ｂの車軸に伝達され、前記車軸の両端に配設された２個の車輪の走行の向きは左右に変更するが、前輪７ａの車軸は移動台車６の先端部に固定されており、該車軸両端に配設された２個の車輪は前後にのみ移動し、入浴介助用走行リフトの走行変更時にはその回動の支点として機能するよう構成されている。
なお、前記回動軸９ｂは、ギアボックス１９ａの筐体上面に固着された回動軸サポート管９ｃに挿通され保護されている。
【００２０】
本実施例２の入浴介助用走行リフトにおいては、要介護者を吊り上げて浴槽３０に出し入れする際、前記回動アーム３の回動により入浴介助用リフトの重心位置の変動に伴う転倒の虞を防止するため、図１１（ａ）に示すように浴槽３０の外側面と上縁に、又は図１０（ｂ）に示すように浴槽３０の外側面と浴室床面とに当接して使用するＬ字形状の転倒防止アーム２１を備えている。
該転倒防止アーム２１は、図１０（ａ）〜（ｃ）に示すように浴槽３０の上縁又は浴室床面に当接させる支持アーム２１ａと、可動台車６に設けた転倒防止アーム取付部材２２に装着するための小判形貫通孔２１ｃを３個所に穿設された装着アーム２２ｂとが、いずれも金属製中空角柱材で一体に形成され。そして前記支持アーム２１ａの浴槽の上縁に当接する面には上縁を保護するための保護シート２１ｄが貼着されている。
なお、図１１（ａ）に点線で示した支持アーム２１ａの位置は、転倒防止アーム２１を使用しない場合、該支持アーム２１ａが可動台車６の内側に保管され、要介護者のベッドと入浴介助用走行リフト間の移動や、搬送等の介助作業時に支障が出ないように格納されることを示したものである。
【００２１】
一方、可動台車６に設けられた転倒防止アーム取付部材は、図１０（ｄ）〜（ｆ）に示すように、可動台車６の床面に固着される固定板２２ｃに、前記転倒防止アーム２１の装着アーム２１ｂを挟入させて固定する２枚の取付板２２ｂ、２２ｃと、該２枚の取付板２２ｂ、２２ｃ間にその間隔と挟入した転倒防止アーム２１の装着アーム２１ｂの直立とを保持する隔壁板２２ｄとが立設され、前記取付板３２２ｂ、２２ｃには、前記装着アーム２１ｂに穿設された小判形貫通孔２１ｃの中央の長孔と上下の短孔との間隔に対応した間隔で上下に取付孔２２ｄが穿たれ、前記２枚に取付板２２ｂ２２ｃ間に挟入した前記装着アーム２１ｂをボルト等の固定具使用して、前記転動防止アーム２１可動台車６への装着を可能にしている。
なお.、この転倒防止アーム２１と転倒防止アーム取付部材２１を実施例１の入浴介助用走行リフトに適用することも好ましく、それを妨げるものではない。
【００２２】
以下本入浴介助用走行リフトの使用方法について、順を追って説明する。
要介護者をベッドから入浴介助用走行リフトに移動させる際には、ベッドに仰臥した要介護者には予め太腿の裏側を支えるシートと脇の下を介して背中を支えるシートとでなるセパレートスリングシートを装着させ、その後折りたたみ椅子１０の背もたれ１４を取り外し、着座部１１を倒した状態とした入浴介助用走行リフトの可動台車６を、回動アーム２の先端に吊設された吊り上げフック３が要介護者の真上に位置するようにベッド下に挿入しする。
次いで前記セパレートスリングシートの吊り紐を吊り上げフック３に掛け、伸縮支柱１を足踏み式油圧シャツキ４の操作によって上昇させて要介護者を吊り上げ、入浴介助用走行リフトをベッド脇に移動して前記折りたたみ椅子１０を起立させ固定ピン１５の挿入又はインデックスプランジャ１８によって固定させ、要介護者が入浴介助用走行リフトの後方を向くように前記吊り上げフック３の向きを調え、伸縮支柱１を降下して要介護者を起立・固定された折りたたみ椅子１０の着座部１１上に着座させ背もたれ１４を着座部１１に取付ける。着座後はセパレートスリングシートの吊り紐が前記吊り上げフック３から外れない程度に弛めて要介護者に圧迫感を与えないようにしておくことが好ましい(図１参照）。要介護者はこの状態で入浴更衣室まで搬送される。
入浴更衣室においては折りたたみ椅子１０に座ったままセパレートスリングシートの吊り紐を弛ませ、あるいは吊り上げフックから外し、また前記背もたれ１４も着座部１１から取り外して着衣の着脱が行えるので、その介助が容易なことから本発明の入浴介助用走行リフトではセパレートスリングシートを用いることとしているが、自身では頭を支えられない、脇を締めることができない、あるいは股関節の角度が維持できないという重症の要介護者においては袋状のスリングシートを使用することを妨げるものではない。
【００２３】
本発明実施例１の入浴介助用リフトの浴室における使用にあたって介助者は、入浴介助用走行リフトを図１２に示すように浴槽３０のコーナーに当接させて停止し、アウトリガー５によって可動台車６を固定する。これによって機構部６ａでなる幅広の後部とその前方に突出し先端に前輪部を有する２本の梁材６ｂとで独特のＴ字形状をなす可動台車６が浴槽の２辺の外側面に当接するので、前記回動アーム２に要介護者を吊り下げて浴槽３０側へ回動することによる重心の変化も前記浴槽３０の該側面が受け止めるので、安定した操作が望め、介助者は安心して要介護者の浴槽３０への出し入れができ、折りたたみ椅子１０の着座部１１に着座した要介護者の身体を洗い、湯を掛けて流し、濡れた身体を拭うことができる。なお、図５に示すように、搬送時には後方を向いて着座してきたのを浴槽では入浴介助用走行リフトの前方を向くように変えねばならず、前記伸縮支柱１の伸長によって吊り上げられ、吊り上げフック３の回動によりその向きが変えられるが、その際障害となる背もたれ１４は脱衣時に取り外されているのでその懸念はない。。
その後、入浴更衣室に移動して、伸縮支柱１の操作によって要介護者を吊り上げ、濡れた折りたたみ椅子の１０着座部１１や入浴介助用走行リフトの水滴を拭き取り、乾いた折りたたみ椅子１０の着座部１１に要介護者を着座させ、濡れたセパレートスリングシートを乾いたものに交換し、要介護者の着衣を介助する。
身支度できた要介護者を折りたたみ椅子１０に着座させた状態で病室や介護室に戻り伸縮支柱１と回動アーム２を操作してベットに移動する。この際先にベッドから入浴介助用走行リフトへ移動したのとほぼ逆の手順で行われる。即ち、背もたれ１４を取り外し、伸縮支柱１を足踏み式油圧ジャッキ４の操作によって上昇させて要介護者を吊り上げげ、折りたたみ椅子１０を倒し、入浴介助用走行リフトを移動して可動台車６をベッド下に挿入し、アウトリガー５によって入浴介助用走行リフトを固定した後、要介護者がベッドに仰臥する向きに吊り下げアーム３の向きを調え、伸縮支柱１を降下させて着床させて仰臥させセパレートスリングシートを取り外し、一連の入浴介助作業を終了する。
【００２４】
本発明実施例２の浴室における使用は、先ずは図１１（ａ）及び図１３に示すように前記転倒防止アーム２１の支持アーム２１ａを浴槽３０の上縁に当接するとともに前記転倒防止アーム２１を取り付けた側の可動台車６の側面を浴槽３０の外側面に当接するか、図（ｂ）に示すように前記支持アーム２１ａを浴槽３０下部の浴室床面に当接するとともに前記転倒防止アーム２１を取り付けた側の可動台車６の側面を浴槽３０の外側面に当接するかして、さＲにアウトリガー５によって可動台車６を固定する。それ以降の入浴介助の手順は、実施例１の手順と同様だが、入浴を終えて更衣室に移動する前に、前記転倒防止アーム２１を、図１１（ａ）に点線で示した格納状態にすることが必要となる。
【産業上の利用可能性】
【００２５】
本入浴介助用入浴介助用走行リフトは、浴槽、更衣室、及び病室や介護室等において、リフトの設置などの追加工事の必要がなく、導入後直ちに使用できるので、長期入院病棟を有する既設の病院や、介護施設等で有効に利用できる。
【符号の説明】
【００２６】
１：伸縮支柱
１ａ：ガイドポスト
１ｂ：昇降ポール
２：回動アーム
２ａ：後方アーム
２ｂ：前方アーム
２ｃ：回動アームを枢着する回動軸
３：吊り上げフック
４：油圧ジャッキ
５：アウトリガー
６：可動台車
６ａ：機構部
６ｂ：梁材
７ａ：前輪
７ｂ：後輪
８：押し手
９：ハンドル
９ａ；ハンドル操作部
９ｂ；回動軸
９ｃ：回動軸サポート管
１０：折りたたみ椅子
１１：着座部
１１’：支持部材
１２、１２’：前脚となるアーム
１３、１３’：後脚となるアーム
１４：背もたれ
１５：固定ピン
１６：アームの梁材への取付具
１７：アームの着座部への取付具
１８：インデックスプランジャ
１９ａ、１９ｂ：ギアボックス
２０：連結軸
２１：転倒防止アーム
２１ａ：アーム部
２１ｂ：装着部
２１ｃ：小判形貫通孔
２１ｄ：保護シート
２２：転倒防止アーム取付部材
２２ａ：固定板
２２ｂ、２２ｃ：取付板
２２ｄ：隔壁板
２２ｅ：取付孔
３０：浴槽
【図１】
2018089357.tif 000003
【図２】
2018089357.tif 000004
【図３】
2018089357.tif 000005
【図４】
2018089357.tif 000006
【図５】
2018089357.tif 000007
【図６】
2018089357.tif 000008
【図７】
2018089357.tif 000009
【図８】
2018089357.tif 000010
【図９】
2018089357.tif 000011
【図１０】
2018089357.tif 000012
【図１１】
2018089357.tif 000013
【図１２】
2018089357.tif 000014
【図１３】
2018089357.tif 000015